(57)【要約】【課題】電力が安い時間帯に蓄電装置を充電し、それ以外の時間帯には系統電源と一般負荷との接続を切断して蓄電装置から一般負荷に電力供給することで、安価な電力を使用する電源システムを提供する。【解決手段】制御部９には、予め契約している電力供給事業者の時間帯別電力料金が入力されている。この電力料金の中で最も安価な時間帯では、安価な系統電源４の電力により蓄電装置１は充電され、同時に負荷１０へも電力が供給されるように、また、最も安価な時間帯以外では、蓄電装置１の電力がＤＣ／ＡＣインバータ５に投入され、負荷１０へ供給されるように、制御部９は、開閉器７、および開閉器８を制御する。【選択図】図１
2007166818.tif 000002
【特許請求の範囲】
【請求項１】
蓄電部と、
前記蓄電部の蓄電量を検出する検出部と、
負荷を接続するための分電盤と、
前記蓄電部からの直流電力を交流電力に変換し前記分電盤に供給するインバータと、
前記蓄電部と前記インバータとの電流経路を断続する第１の開閉器と、
前記分電盤に電力を供給する系統電源と前記分電盤との電流経路を断続する第２の開閉器と、
前記分電盤から電力を受け前記蓄電部の充電を行なう充電部と、
前記検出部からの情報と予め設定された時刻情報とにより前記第１の開閉器と前記第２の開閉器を制御する制御部とを備える、電源システム。
【請求項２】
前記予め設定された時刻情報は、
前記系統電源からの電力が前記蓄電部で蓄電される第１の時間帯と、
前記系統電源に代わって前記蓄電部からの電力が前記分電盤に供給される第２の時間帯とを含み、
前記第１の時間帯と前記第２の時間帯は排他的な関係にある、請求項１記載の電源システム。
【請求項３】
前記制御部は、
時刻が前記第１の時間帯にあると判断した場合は、前記第１の開閉器を閉にし、前記第２の開閉器を開にする制御を行なう手段と、
前記時刻が前記第２の時間帯にあると判断した場合は、前記第１の開閉器を開にし、前記第２の開閉器を閉にする制御を行なう手段を含む、請求項２記載の電源システム。
【請求項４】
前記分電盤に発電電力を供給する太陽電池をさらに備える、請求項３記載の電源システム。
【請求項５】
前記制御部は、前記太陽電池に余剰発電電力があると判断した場合は、前記蓄電部に前記余剰発電電力が蓄電されるように前記充電部に指示する手段を含む、請求項４記載の電源システム。
【請求項６】
前記インバータは、前記変換された交流電力が前記系統電源へ逆潮流するよう前記系統電源に接続されている、請求項５記載の電源システム。
【請求項７】
前記制御部は、前記太陽電池に前記余剰発電電力があると判断した場合は、前記太陽電池の出力電圧を予め設定した範囲内にするため、前記充電部に、前記蓄電部を充電するときの充電電流を増減させるよう指示する手段を含む、請求項６記載の電源システム。
【請求項８】
前記制御部は、
外部ネットワークから取得した天気情報により、前記太陽電池の発電電力を予測する手段と、
前記予測と前記蓄電部の蓄電残量とに基づき、前記充電部を制御する手段を含む、請求項７記載の電源システム。
【請求項９】
前記第１の時間帯の少なくとも一部は深夜電力の供給時間帯に含まれる、請求項８記載の電源システム。
【請求項１０】
蓄電部と、
前記蓄電部の蓄電量を検出する検出部と、
負荷を接続するための分電盤と、
前記蓄電部からの直流電力を交流電力に変換し前記分電盤に供給するインバータと、
前記蓄電部と前記インバータとの電流経路を断続する第１の開閉器と、
前記分電盤に電力を供給する系統電源と前記分電盤との電流経路を断続する第２の開閉器と、
前記分電盤と前記蓄電部の間に接続された、前記蓄電部の充電を行なう充電部と、
前記第１の開閉器と前記第２の開閉器を制御する制御部とを備える電源システムにおいて、
前記検出部からの情報と予め設定された時刻情報とにより、前記第１の開閉器と前記第２の開閉器を制御する電源システムの制御方法。
【発明の詳細な説明】
【技術分野】
【０００１】
本発明は、蓄電装置を備えた電源システム、および電力の入出力を制御する方法に関する。
【背景技術】
【０００２】
太陽電池は、太陽光の光エネルギーを電気エネルギーに直接変換して取り出す装置である事が知られている。この装置はエネルギー問題を解決するための一手段として近年大きく注目されており、実際に普及も進んできている。
【０００３】
蓄電装置は電力を貯め、必要な時に引き出す事が可能な装置であり、電気エネルギーを化学エネルギーとして貯める蓄電池が代表的なものとして知られている。最近ではキャパシタやフライホイールなど、静電エネルギーや運動エネルギーの形態でエネルギーを貯蔵する蓄電装置も開発が進んできている。
【０００４】
蓄電装置を利用する技術はこれまでにも多くなされてきているが、家庭の電力貯蔵用として利用されている事例の一例として、安価な深夜電力を蓄電装置に貯めておき昼間に放電する事により、昼間の高価な電力をできるだけ使用しないようにする発明（特許文献１参照）などが考案されている。
【０００５】
また、蓄電装置に太陽光発電システムを組み合わせた発明もなされている。その中の一例として、停電時のバックアップ電源を目的としたものがある。たとえば、特許文献２では、連係運転時、夜間、自立運転時という３つの場合に分け、蓄電池の電力は自立運転時にのみ利用される。
【０００６】
同様に、停電時に太陽電池と蓄電池の電力を利用する発明として特許文献３がある。この中では、負荷と系統電源の間および蓄電装置とＤＣ／ＡＣ(直流／交流)インバータの間に開閉手段を設け、停電を検出する事によって自動的に系統電源との接続を切ると同時に蓄電装置とＤＣ／ＡＣインバータを接続する事を自動で行なわせる事により、停電時には太陽電池および蓄電池の電力を一般の負荷に使用できるというものである。
【特許文献１】実用新案登録第３０４５１８９号公報
【特許文献２】特開平８−３１７５５２号公報
【特許文献３】特開平１０−２３６７３号公報
【発明の開示】
【発明が解決しようとする課題】
【０００７】
しかしながら特許文献１においては、深夜電力以外の時間帯において蓄電池の電圧が降下した場合、系統電源の電力を負荷のみならず蓄電池にも供給する事になるため、深夜電力以外の高価な電力で蓄電池を充電するモードがあった。
【０００８】
また太陽電池を含むシステムの従来技術では、蓄電装置の電力は停電時のみしか利用しない、もしくは利用できるにしても、系統電源から最低限の電力を購入しなければならない、など様々な制約があった。停電時のみの使用では、蓄電装置の設置に費やしたコスト分の価値を発揮できないという課題がある。また系統電源から電力を購入しつつ蓄電池を放電させる方法では、たとえ少しであっても昼間の電力を購入する必要があり、深夜電力のみを利用する事はできなかった。
【０００９】
本発明は、上記のような問題を解決するためになされたものであって、その目的は、電力が安い時間帯に蓄電装置を充電し、それ以外の時間帯には系統電源と一般負荷との接続を切断して蓄電装置から一般負荷に電力供給することで、安価な電力を使用する電源システムを提供することである。
【課題を解決するための手段】
【００１０】
本発明の1つの局面に従うと、電源システムであって、蓄電部と、蓄電部の蓄電量を検出する検出部と、負荷を接続するための分電盤と、蓄電部からの直流電力を交流電力に変換し分電盤に供給するインバータと、蓄電部とインバータとの電流経路を断続する第１の開閉器と、分電盤に電力を供給する系統電源と分電盤との電流経路を断続する第２の開閉器と、分電盤から電力を受け蓄電部の充電を行なう充電部と、検出部からの情報と予め設定された時刻情報とにより第１の開閉器と第２の開閉器を制御する制御部とを備える。
【００１１】
好ましくは、予め設定された時刻情報は、系統電源からの電力が蓄電部で蓄電される第１の時間帯と、系統電源に代わって蓄電部からの電力が分電盤に供給される第２の時間帯とを含み、第１の時間帯と第２の時間帯は排他的な関係にある。
【００１２】
好ましくは、制御部は、時刻が第１の時間帯にあると判断した場合は、第１の開閉器を閉にし、第２の開閉器を開にする制御を行なう手段と、時刻が第２の時間帯にあると判断した場合は、第１の開閉器を開にし、第２の開閉器を閉にする制御を行なう手段を含む。
【００１３】
好ましくは、分電盤に発電電力を供給する太陽電池をさらに備える。
好ましくは、制御部は、太陽電池に余剰発電電力があると判断した場合は、蓄電部に余剰発電電力が蓄電されるように充電部に指示する手段を含む。
【００１４】
好ましくは、インバータは、変換された交流電力が系統電源へ逆潮流するよう系統電源に接続されている。
【００１５】
好ましくは、制御部は、太陽電池に余剰発電電力があると判断した場合は、太陽電池の出力電圧を予め設定した範囲内にするため、充電部に、蓄電部を充電するときの充電電流を増減させるよう指示する手段を含む。
【００１６】
好ましくは、制御部は、外部ネットワークから取得した天気情報により、太陽電池の発電電力を予測する手段と、予測と蓄電部の蓄電残量とに基づき、充電部を制御する手段を含む。
【００１７】
好ましくは、第１の時間帯の少なくとも一部は深夜電力の供給時間帯に含まれる。
本発明の他の局面に従うと、電源システムの制御方法であって、蓄電部と、蓄電部の蓄電量を検出する検出部と、負荷を接続するための分電盤と、蓄電部からの直流電力を交流電力に変換し分電盤に供給するインバータと、蓄電部とインバータとの電流経路を断続する第１の開閉器と、分電盤に電力を供給する系統電源と分電盤との電流経路を断続する第２の開閉器と、分電盤と蓄電部の間に接続された、蓄電部の充電を行なう充電部と、第１の開閉器と第２の開閉器を制御する制御部とを備える電源システムにおいて、制御部は、検出部からの情報と予め設定された時刻情報とにより、第１の開閉器と第２の開閉器を制御する。
【発明の効果】
【００１８】
検出部からの情報と予め設定された時刻情報とに基づき、一般負荷への電力供給源を切り替えることができるので、ユーザーは安価な電力を使用することが可能となり、経済的なメリットを享受しうる。
【発明を実施するための最良の形態】
【００１９】
以下、図面を参照しつつ本発明の実施の形態について説明する。以下の説明では、同一の部品には同一の符号を付してある。それらの名称および機能も同じである。したがって、それらについては詳細な説明は繰り返さない。
【００２０】
［実施の形態１］
図１は、実施の形態１を示したブロック図である。
【００２１】
図１を参照して、実施の形態１を説明する。本システムは、蓄電装置１と、蓄電装置１の蓄電状態を検出する電圧検出部２と、分電盤３と、分電盤３に電力供給する系統電源４と、蓄電装置１からの直流電流を交流電流に変換して分電盤３に供給するＤＣ／ＡＣインバータ５と、蓄電装置１と分電盤３の間に接続された、蓄電装置１を充電するための充電器６と、分電盤３と系統電源４との電流経路を断続する開閉器７と、蓄電装置１とＤＣ／ＡＣインバータ５との電流経路を断絶する開閉器８と、開閉器７，８および充電器６を制御する制御部７とを備えている。なお、分電盤３には負荷１０が接続されている。
【００２２】
蓄電装置１として、本実施の形態では鉛蓄電池を使用しており、電圧は１６０〜１９２Ｖ、電流容量は５０Ａｈである。また、蓄電装置１は、蓄電池、キャパシタ、フライホイールなど、蓄電する機能を持つものなら何でも良く、ひとつではなく複数の蓄電装置を並列に接続しても構わない。
【００２３】
電圧検出部２は、蓄電装置１の電圧もしくはフライホイールの回転速度などを測定し、その蓄電量（残存量）を検出している。本実施の形態では、電圧検出部２として鉛蓄電池の電圧を常時測定するトランスデューサーを鉛蓄電池近傍に設置し、その信号は制御部７に送られる。
【００２４】
系統電源４は、電力会社からの電力である。
ＤＣ／ＡＣインバータ５は、入力電圧８０〜２５０Ｖ、出力電圧は２００Ｖ、また出力電力容量は１０ｋＷである。
【００２５】
充電器６は、交流電力を直流電力に変換し、蓄電装置１を充電している。本実施の形態では、充電器６として安定化直流電源を使用しており、出力電圧は１９２Ｖ、最大出力電流は１０Ａである。
【００２６】
制御部９は、本実施の形態ではＤＣ／ＡＣインバータ５の壁面に付設されており、電気的な信号により開閉器７，８を制御する。なお、停電時は、蓄電装置１から電力が供給されるように構成されている。また、制御部９は、予め入力された時刻情報により蓄電装置１を充電するよう充電器６への指示を行なう。時刻情報は、予め契約している電力供給事業者の時間帯別電力料金を基に入力されている。
【００２７】
本実施の形態での時間帯別電力料金は、２３時〜７時までが７円／ｋＷｈ、７時〜１０時が２０円／ｋＷｈ、１０時〜１７時が２６円／ｋＷｈ、１７時〜２３時が２０円／ｋＷｈである。一日のうち、電力料金の最も安い時間帯である２３時〜７時を第１の時間帯として、それ以外を第２の時間帯として入力されている。制御部９は、第１の時間帯では、系統電源４から分電盤３に電力が供給され、蓄電装置１が充電されるように、第２の時間帯では、系統電源４に代わって蓄電装置１から負荷１０に電力が供給されるように、開閉器７および８を制御する。
【００２８】
表１は、時刻および蓄電装置１の電圧による開閉器７，８の制御を示した表である。
【００２９】
【表１】
2007166818.tif 000003
【００３０】
表１を参照して、本システムの動作について、一日の時系列で説明する。
まず、０時は第１の時間帯に含まれるので、制御部９は、開閉器７を閉（導通）状態に、開閉器８を開（絶縁）状態に制御する。よって、負荷１０および充電装置１は、分電盤３を介して系統電源４からの電力供給を受ける。充電器６は制御部９からの指示により電圧１９２Ｖ、最大電流１０Ａで蓄電装置１を充電する。
【００３１】
次に、７時になると第２の時間帯であるので、制御部９は、開閉器７を開に、開閉器８を閉になるよう制御する。この制御により、蓄電装置１に貯められた電力がＤＣ／ＡＣインバータ５、分電盤３を通して負荷１０に供給される。７時から２３時まで、蓄電装置１の電圧が１６０Ｖ未満にならない限り、本システムはこの状態を維持する。
【００３２】
もし、２３時までに電圧検出部２からの情報により、制御部９が蓄電装置１の電圧が１６０Ｖ未満まで低下したと判断した場合は、制御部９は、その時点より開閉器７を閉、開閉器８を開とする。これにより、負荷１０への電力は系統電源４から供給されるようになるが、制御部９は充電器６を動作させない。
【００３３】
２３時になると、それまでの開閉器７，８の状態に関わらず、制御部９は開閉器７を閉状態、開閉器８を開状態に制御する。また、充電器６に充電の指示を出す。これにより、負荷１０への電力は系統電源４から供給される。また、蓄電装置１は７時から２３時の間に使用した分の電力を系統電源４より充電される。
【００３４】
次に、本システムの停電時の動作について説明する。
制御部９は、開閉器７よりも系統電源４側の電圧および周波数を検出している。これにより、系統電源４からの電力供給が途絶えたと判断した場合は、開閉器７を開になるよう制御し、本電源システムを系統電源４から電気的に絶縁する。
【００３５】
制御部９は、充電器６を動作させない。これにより、蓄電装置１の電力で蓄電装置１の充電を行なう事を回避する。
【００３６】
電圧検出部２により検出された蓄電装置１の電圧が１６０Ｖ以上であれば、制御部９は開閉器８を閉状態に制御する。これにより、蓄電装置１の電力がＤＣ／ＡＣインバータ５を介して負荷１０へ供給される。
【００３７】
もし、電圧検出部２により検出された蓄電装置１の電圧が１６０Ｖ未満の場合、制御部９は開閉器８を開状態にし、蓄電装置１は使用しない。
【００３８】
系統電源４からの電力供給が検出された後、通常時の動作を再開する。
以上説明したように、本実施の形態では、電力が比較的安い時間帯に蓄電装置１を充電し、それ以外の時間帯には系統電源４との接続を切断することにより、蓄電装置１から負荷１０へ放電する。したがって、安価な電力のみを使用する事が可能となり、ユーザーに経済的なメリットを提供する事ができる。
【００３９】
また、電力が安価な時間帯以外に蓄電装置１の電力を消費し尽した場合でも、系統電源４からの電力は負荷１０のみに供給し、安価な時間帯になるのを待って蓄電装置１を充電するので、ユーザーは高価な電力を使用しなくて済み、安価な電力のみで充電する事が可能になる。
【００４０】
また、万が一、系統電源４からの電力供給が途絶えた場合でも、蓄電装置１によって負荷１０に電力供給することができるので、蓄電装置１を非常用電源として用いることができる。
【００４１】
［実施の形態２］
図２は、実施の形態２を示したブロック図である。
【００４２】
図２を参照して、実施の形態２を説明する。本実施の形態は、実施の形態１で示したシステムにおいて、ＤＣ／ＡＣインバータ５および制御部９の代わりにＤＣ／ＡＣインバータ２５と、太陽電池２１と、分電盤３と充電器６との電流経路を断続する開閉器２７とが加えられている。それ以外の機器および時間帯別電力料金などは全て実施の形態１と同じである。
【００４３】
ＤＣ／ＡＣインバータ２５の内部には、制御部２９が納められ、最大動作点追尾など太陽電池の制御と開閉器や充電装置の制御を一つの制御回路で行なっている。
【００４４】
また、補助電源として追加された太陽電池２１は、ＤＣ／ＡＣインバータ２５内の入力端子（蓄電装置１とは別の入力端子）に接続されている。太陽電池２１は太陽電池モジュール８枚を直列にしたものを１系統とした太陽電池アレイであり、１系統の定格電圧は２１６Ｖ、定格電流は５Ａである。ＤＣ／ＡＣインバータ２５には合計３系統が接続されているため、合計の定格発電容量は約３ｋＷである。
【００４５】
表２は、時刻、蓄電装置１の電圧、および太陽電池２１の電圧による開閉器７，８，２７の制御を示した表である。
【００４６】
【表２】
2007166818.tif 000004
【００４７】
表２を参照して、本システムの動作について、一日の時系列で説明する。
まず、０時は第１の時間帯に含まれるので、ＤＣ／ＡＣインバータ２５は開閉器７を閉、開閉器８を開、開閉器２７を閉にする。これにより負荷１０および充電装置１へは系統電源４より電力が供給され、蓄電装置１からの放電は行なわれない。もし７時までに太陽電池２１が発電を開始した場合、その電力は負荷１０および充電装置１に第一優先で使用され、補助として系統電源４を使用するように制御部２９が制御する。
【００４８】
７時になると第２の時間帯なので、制御部２９は開閉器７を開、開閉器８を閉とする。これにより系統電源４は遮断され、蓄電装置１および太陽電池２１から負荷へ電力が供給される。開閉器２７については蓄電装置１の電圧が１６０Ｖ以上かどうか、および太陽電池電圧が２００Ｖ以上かどうか、で決定されるが、蓄電装置１は７時までに充電されているので１６０Ｖ以上のはずである。よって太陽電池２１の電圧が２００Ｖ以上の場合、開閉器２７は閉になり、充電装置１は通電される。２００Ｖ未満の場合、開閉器２７は開となり、充電装置１は動作しない。負荷１０への電力供給は太陽電池２１の発電電力を第一優先で使用し、不足する分を蓄電装置１からの出力で補う。
【００４９】
太陽電池２１の発電電力が負荷の消費電力を上回る場合は、太陽電池２１の電力は蓄電装置１にも供給されるが、この瞬間本システムは独立電源となっているため、どれ程の電力が余っているかは分からない（電力が余っていると、太陽電池２１の動作電圧が高くなる）。よって、制御部２９は太陽電池２１の電圧を検出し、太陽電池２１の電圧が２１７Ｖ以上であれば２１６Ｖ±１Ｖに低下するまで充電器６から蓄電装置１への出力電流の最大値を増やすよう命令を出す。逆に太陽電池２１の電圧が２１５Ｖ未満になった場合、制御部２９は充電器６から蓄電装置１への出力電流の最大値を減らすよう指示を出し、２１６Ｖ±１Ｖ付近になるよう制御する。
【００５０】
７時以降も太陽電池２１および蓄電装置１の電力のみを負荷１０に供給し続けるが、電圧検出部２の情報により、制御部２９が、蓄電装置１の電圧が１６０Ｖ未満に下がったと判断した場合は、開閉器７を閉、開閉器８を開にする。これにより、蓄電装置１は電力供給を停止し、系統電源４に切り替わる。ただし、価格が高い昼間の電力を充電に使用させないため開閉器２７は開にされ、充電器６へは通電されない。太陽電池２１からの電力は負荷１０に供給され、また、電力供給事業者に売電するため、余剰発電電力は系統電源４に逆潮流される。
【００５１】
２３時になった時点で開閉器７が閉、開閉器８が開、開閉器２７が閉となり、電力供給源が系統電源４へ切り替わると同時に蓄電装置１の充電が再開される。
【００５２】
次に本システムの停電時の動作について説明する。
制御部２９が、系統電源４からの電力供給が途絶えたと判断した場合は、まず開閉器７を開にする。これによりシステムを系統電源４から遮断する。
【００５３】
蓄電装置１の電圧が１６０Ｖ以上であれば、制御部２９は開閉器８を閉にする。これにより蓄電装置１の電力をＤＣ／ＡＣインバータ２５を介して負荷１０へ供給する。
【００５４】
もし蓄電装置１の電圧が１６０Ｖ未満であれば、制御部２９は開閉器８を開にし、蓄電装置１は使用されない。
【００５５】
太陽電池２１の電圧が２００Ｖ以上の時、開閉器２７は閉になる。これにより太陽電池２１で余剰に発電された電力は充電器６に供給される。充電器６の充電電流の制御は通常時と同じである。
【００５６】
太陽電池２１の電圧が２００Ｖ未満の時、開閉器２７は開となり、充電器６へは通電されない。
【００５７】
復電し、系統電源４の電圧および周波数が正しい事を制御部２９が確認した後は、通常時の制御方法を実行する。
【００５８】
以上説明したように、本実施の形態では、太陽電池によっても、負荷１０への電力供給する。したがって、実施の形態１の効果に加えて、現在の売電可能な制度が何らかの理由で売電不可能（無償での逆潮流は可能）になった場合においても、太陽電池２１の発電電力を有効に貯蔵し、活用することができる。
【００５９】
［実施の形態３］
図３は、実施の形態３を示したブロック図である。
【００６０】
図３を参照して、実施の形態３を説明する。本実施の形態では実施の形態２の構成に加えて、情報源としてインターネット３１が制御部２９に接続されている。インターネット３１を介して、翌日の天気の情報を入手する事が可能である。また、太陽電池２１の設置容量は本例では２ｋＷとする。
【００６１】
制御部２９には、天気情報を受け取り日射量を予測するプログラムが予めインストールされている。具体的には晴れ、曇り、雨、雪、などあらゆる天気情報およびそれらを組み合わせた天気情報に対し、翌日の日射量を予測する機能を持つ。
【００６２】
また、制御部２９には、予め太陽電池２１の設置容量が入力されている。さらに、太陽電池２１の発電損失係数も予め入力されている（一般に太陽電池の起電圧および発電量は、太陽電池セルの温度上昇時には低下する事が知られている。この損失を加味するため、本実施例中の制御部には発電損失係数が季節毎にインプットされており、夏（６月〜８月）は０．８(８０％)、春・秋（３月〜５月および９月〜１１月）は０．８５(８５％)、冬（１２月〜２月)は０．９(９０％)に設定されている。）。
【００６３】
制御部２９は、日射量の予測値および太陽電池２１の設置容量および損失係数を掛け合わせる事により、おおまかな発電量を算出する。
【００６４】
電力料金が最も安い時間帯に系統電源４から蓄電装置１へ充電を行なう際、予測された太陽電池２１の発電量分を差し引いた分まで充電を行なうよう、制御部２９は充電器６を制御する。
【００６５】
天気情報による日射量の予測値や温度による太陽電池アレイの発電損失係数は、インターネットからのデータのダウンロードにより、適宜更新する事が可能である。
【００６６】
また、ＤＣ／ＡＣインバータ２５が液晶表示部を持つ場合は、受け取った天気情報を液晶表示部に表示させ、液晶表示部を閲覧する人が翌日の天気を知る事が可能になる。
【００６７】
以下に動作方法を説明する。
開閉器の開・閉に関する動作は実施の形態２と同様である。
【００６８】
インターネットにより取得した天気情報は、制御部２９により認識され、制御部２９は、翌日の大まかな日射量および太陽電池アレイの発電電力量を予測する。その予測に基づき、電力料金が最も安い時間帯における蓄電装置１の充電レベル（蓄電残量）を制御する。
【００６９】
表３は、天気情報に対応した予測日射例を表した表である。
【００７０】
【表３】
2007166818.tif 000005
【００７１】
表３を参照して、予測に基づいた制御方法について詳しく説明する。
たとえば、夏の日で翌日の天気情報が晴れの場合、制御部２９は翌日の日射量を５ｋＷｈ／ｍ２と予測する。その結果、太陽電池アレイの設置容量２ｋＷ（厳密にはｋＷ／(ｋＷ／ ｍ２））と日射量５ｋＷｈ／ｍ２を掛け合わせ、さらに損失係数０．８を掛けたもの、すなわち８．０ｋＷｈを翌日の太陽電池による発電量として予測する。
【００７２】
この結果を基に、当日２３時から翌日７時までの時間帯における蓄電装置１への充電は、満充電状態から８．０ｋＷｈを引いた時の電圧、すなわち８５Ｖまでで充電をストップするよう制御部２９は充電装置１を制御する（満充電状態から８．０ｋＷｈを放電した後の電圧が本実施の形態では８５Ｖであるため）。
【００７３】
逆に冬季で翌日の天気が雨である場合、発電量は０と予測されるため、蓄電装置１の充電は満充電になるまで行なわれる。
【００７４】
以上の説明により、本実施の形態では、天気情報に基づいて系統電源からの電力を蓄電装置に充電する。したがって、実施の形態２の効果に加え、系統電源からの電力を節約することによって、ユーザーは経済的なメリットを享受できる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】実施の形態１を示したブロック図である。
【図２】実施の形態２を示したブロック図である。
【図３】実施の形態３を示したブロック図である。
【符号の説明】
【００７７】
１  蓄電装置、２  電圧検出部、３  分電盤、４  系統電源、５，２５  ＤＣ／ＡＣインバータ、６  充電器、７，８，２７  開閉器、９，２９  制御部、１０  負荷、２１  太陽電池、３１  インターネット。
【図１】
2007166818.tif 000006
【図２】
2007166818.tif 000007
【図３】
2007166818.tif 000008